(57)【特許請求の範囲】
【請求項１】
乳幼児が座る座板と、その乳幼児の背中を保持する背板と、頭部を保護するヘッドレストを有するベビーシートにおいて、
前記背板が、前記座板に対して揺動・固定可能に装着され、
前記背板の両側に、乳幼児を保護するサイドプレートが装着され、
前記背板の両側部に、一端が前記座板に枢着され、該背板とともに揺動するシャフトが配設され、
各シャフトに、前記サイドプレートの基部を軸線方向に摺動可能に且つその軸線回りに回動可能に嵌装するとともに、該シャフト及び該サイドプレートの一方から突設されたピンを該シャフト及び該サイドプレートの他方に形成された螺旋状のガイド溝に係合させ、該サイドプレートの軸線方向の摺動によって該サイドプレートを揺動させるようにすることで、該サイドプレートを、前記背板の前記座板方向への折畳み動作に連動して直立状態から該背板側に揺動するようにしたことを特徴とする、ベビーシート。
【請求項２】
上記シャフトに摺動可能に嵌装されたサイドプレートが、一端が上記シャフトの枢着点と異なる位置において座板に枢着されている規制シャフトの他端部に連結されていることを特徴とする、請求項１記載のベビーシート。
【請求項３】
請求項１に記載のベビーシートを、ベビーカー本体に対面状態または背面状態に着脱自在に装着するようにしたベビーカーであって、
ベビーカー本体の肘掛け杆に、少なくとも外側方に突出するように付勢された係止ピンが設けられ、
前記係止ピンに、前記肘掛け杆に取付けたベビーシートの肘掛け部外側壁に設けられた係止孔を係止するようにしたことを特徴とする、ベビーカー。
【請求項４】
ベビーシートの肘掛け部側壁に設けられた係止孔には、上記係止ピンを押圧し、その係止ピンと係止孔との係止を解除する係止解除ボタンが設けられていることを特徴とする、請求項３記載のベビーカー。
【請求項５】
ベビーカー本体の肘掛け杆には、ベビーシートの肘掛け部の前後縁部が当接するガイド部が形成されていることを特徴とする、請求項３または４記載のベビーカー。
【発明の詳細な説明】
【０００１】
【発明の属する技術分野】
本発明は、ベビーカー等に使用するベビーシート及びそのベビーシートを装着したベビーカーに関する。
【０００２】
【従来の技術及び発明が解決しようとする課題】
一般に、乳幼児を散歩や買物等のために屋外に連れ出す場合に使用するベビーカーにおいては、必要に応じて折り畳み、収納や携帯が容易になるようにしたものが種々提案され実用に供されている。ところで、乳幼児が座る座板とその乳幼児の背中を保持する背板と頭部を保護するヘッドレストによって構成されたベビーシートをベビーカー本体に取付けたベビーカーにおいては、ベビーカーをコンパクトに折り畳むようにするためには、上記背板を座板側に倒し込むことが必要である。
【０００３】
ところが、上記背板の両側には乳幼児が必要以上に左右に移動しないように保護するためのサイドプレートが立設されているため、背板を座板側に折り畳んだ場合、そのサイドプレートによって背板を座板側に十分折り畳むことが阻害されシート部分をコンパクトに折り畳むことができない等の問題がある。すなわち、例えばサイドプレートの幅が座面より狭い場合には、背板を座板側に倒した場合、そのサイドプレートの頂端縁が座板に当接するとそれ以上の折り畳みは不可能となり、或は座板の厚みがサイドプレートの高さより薄い場合には、折り畳んだ部分の厚さはサイドプレートの高さ以下になることは不可能であって、折り畳んだ場合の厚さサイズがサイドプレートの高さによって規制され、そのシート部分を十分にコンパクトに折り畳むことができない等の問題がある。
【０００４】
また、ベビーカーの手押杆を座板の前後方向に揺動させることによりその取り付け位置をベビーカー本体の後部或は前部に自由に移動させ、乳幼児の背面からの手押し状態としたり対面した手押し状態としたりするものもあるが、対面した手押し状態とした場合には、方向転換用車輪がベビーカーの進行方向に対して後方に位置することになり、走行がスムーズに行えない場合がある等の問題がある。
【０００５】
そこで、乳幼児が乗るシート自体をベビーカー本体に対して着脱自在として、そのシートを対面状態或は背面状態に選択的に変更し得るようにすることも提案されている。
【０００６】
しかしながら、上述の如きベビーカーにおいては、ベビーシートとベビーカー本体とのロック機構が複雑となり、その着脱が必ずしも簡単でない等の問題がある
第１の発明は、このような点に鑑み、きわめてコンパクトな状態に折畳むことができるようにしたベビーシートを得ることを目的とする。また、第２の発明は、ベビーカー本体へのベビーシートの着脱をきわめて容易に行うことができるようにしたベビーカーを得ることを目的とする。
【０００７】
【課題を解決するための手段】
第１の発明は、乳幼児が座る座板と、その乳幼児の背中を保持する背板と、頭部を保護するヘッドレストを有するベビーシートにおいて、 前記背板が、前記座板に対して揺動・固定可能に装着され、前記背板の両側に、乳幼児を保護するサイドプレートが装着され、前記背板の両側部に、一端が前記座板に枢着され、該背板とともに揺動するシャフトが配設され、各シャフトに、前記サイドプレートの基部を軸線方向に摺動可能に且つその軸線回りに回動可能に嵌装するとともに、該シャフト及び該サイドプレートの一方から突設されたピンを該シャフト及び該サイドプレートの他方に形成された螺旋状のガイド溝に係合させ、該サイドプレートの軸線方向の摺動によって該サイドプレートを揺動させるようにすることで、該サイドプレートを、前記背板の前記座板方向への折畳み動作に連動して直立状態から該背板側に揺動するようにしたことを特徴とする。
【０００８】
第２の発明は、上述のベビーシートを、ベビーカー本体に対面状態または背面状態に着脱自在に装着するようにしたベビーカーであって、ベビーカー本体の肘掛け杆に、少なくとも外側方に突出するように付勢された係止ピンが設けられ、前記係止ピンに、前記肘掛け杆に取付けたベビーシートの肘掛け部外側壁に設けられた係止孔を係止するようにしたことを特徴とする。
【０００９】
【発明の実施の形態】
以下、添付図面を参照して本発明の実施の形態について説明する。
【００１０】
図１において、符号１０はベビーカー本体であって、前輪１１を有する左右一対の前脚１２、後輪１３を有する左右一対の後脚１４、ほぼＵ字状に屈曲された手押杆１５、左右一対の肘掛け杆１６、及び足乗せ板を兼ねる前側連結部材１７によって構成されている。上記手押杆１５の左右の各前部にはそれぞれ肘掛け杆１６の一端が枢着されており、その各肘掛け杆１６の他端が前脚１２に枢着されている。また、左右の後脚１４はその上端が肘掛け杆１６の前部に枢着され、その左右の後脚１４の中間部に前記手押杆１５の前端に進退可能に設けられた係止片１５ａが係脱可能としてある。一方、上記左右の後脚１４は後側連結部材１８によって連結され、左右の前脚１２は前記前側連結部材１７によって互いに連結されている。さらに各前脚１２の中間部には連結バー１９の前端が枢着され、その連結バー１９の後端は両端がそれぞれ手押杆１５及び後脚１４に枢着されたＬ字状のブラケット２０の中間部に枢着されている。
【００１１】
しかして、図１に示すように手押杆１５の先端の係止片１５ａを後脚１４の中間部に係止することによってベビーカー本体１０が使用可能な展開状態に保持され、一方手押杆１５に設けられている操作装置Ａを操作することにより上記手押杆１５の先端の係止片１５ａと後脚１４との係合が離脱されると、肘掛け杆１６、前脚１２、後脚１４、及び連結バー１９が揺動可能となり、携帯等に便利なように折り畳むことができる。
【００１２】
ところで、上記ベビーカー本体１０には、その肘掛け杆１６にベビーシート２１の肘掛け部２２ａを上方から載置掛合することによってベビーシート２１が装着固定されている。この場合上記ベビーシート２１を選択的に前後逆にしてベビーカー本体１０に装着することにより、乳幼児の背面からの手押し状態或は対面した手押し状態とすることができる。図２に背面からの手押し状態、図３に対面した手押し状態を示す。
【００１３】
図４は、上記ベビーシート２１の概略構成を示す図であって、ベビーシート２１は主として乳幼児が座る座板２２、背中を保持する背板２３及び頭部を保護するヘッドレスト２４によって構成されている。
【００１４】
上記座板２２の両側には肘掛け部２２ａが一体的に形成されており、左右の両肘掛け部２２ａの先端部間には弧状のガードアーム２５が掛け渡されている。また、上記座板２２の前縁部には足受け板２６が水平軸線回りに揺動・固定可能に取り付けられており、座板２２の後縁部には図５、図６に示すように、その座板２２の両側に立設されたブラケット２７に装着された水平軸２８によって背板２３の下端部が揺動可能に枢着されている。この背板２３は、図示しない固定装置によって乳幼児の状態に合わせて座板２２に対して複数の傾斜位置に固定可能としてある。また、上記背板２３の上端部には水平軸２９によってヘッドレスト２４が揺動可能に枢着されている。
【００１５】
上記背板２３の両側にはその背板２３の両側縁に沿って延びるシャフト３０がそれぞれ配設されており、そのシャフト３０の一端が前記座板２２に立設されたブラケット２７にピン３１を介して揺動可能に連結されており、そのシャフト３０の他端がヘッドレスト２４の側面に枢着されている。
【００１６】
上記シャフト３０には、サイドプレート３２の基端に形成されている円筒部３２ａが摺動可能に且つ回動可能に嵌装されており、そのシャフト３０に突設されているピン３３が上記サイドプレート３２の円筒部３２ａに形成されている螺旋状のガイド溝３４に係合せしめられている。そして、ベビーシート２１の使用状態時すなわち背板２３が座板２２とほぼ水平状態から或る傾斜角度位置にあるまでは上記サイドプレート３２が垂直状態にある。また、上記サイドプレート３２の円筒部３２ａの端部には、規制シャフト３５の一端が或程度揺動可能に装着してあり、その規制シャフト３５の他端が、座板２３の側板に対して前記シャフト３０の枢着点であるピン３１の位置より背板２３寄りの位置ａに揺動可能に枢着してある。
【００１７】
しかして、背板２３を水平軸２８の回りに座板２２側に折り畳むように回動させると、それに応じてサイドプレート３２とともにシャフト３０がピン３１を中心として回動する。ところが、この場合、ピン３１と規制シャフト３５の枢着位置ａとが前後にずれているので上記規制シャフト３５を介してサイドプレート３２がシャフト３０に対して軸線方向に摺動され、前記ピン３３とガイド溝３４との係合によって、サイドプレート３２が前記垂直状態からほぼ水平状態になるまで回動される（図６、２点鎖線参照）。
【００１８】
したがって、背板２３を座板２２側に折り畳むように回動させた場合には、サイドプレート３２が垂直状態からほぼ水平状態に畳まれるので、サイドプレート３２の高さによって上記背板２３の折り畳み位置が規制されることがなく、コンパクトに折り畳むことができる。図７に上記ベビーシートを折り畳んだ状態を示す。また、図８はベビーカー本体１０に上述の如きベビーシート２１を装着したベビーカーを折り畳んだ状態の一例を示す。
【００１９】
ところで、上記発明の実施の形態においては、ベビーカー用のベビーシートとして説明したが、乗用車用のチャイルドシート等にも適用できることは勿論である。
【００２０】
また、上記実施の形態においては、シャフト３０にサイドプレート３２の円筒部３２ａを嵌装し、シャフト３０に突設したピン３３を上記円筒部３２ａのガイド溝３４に係合したものを示したが、円筒部３２ａに内方に突出するピンを設け、そのピンをシャフトに設けたガイド溝に係合するようにしてもよい。さらに、シャフト３０の中または外周に規制シャフト３５に連結された摺動部材を設け、サイドプレート３２をシャフト３０の回りの回動のみ可能とし、上記摺動部材とサイドプレートとをピンとガイド溝との係合によって連結してもよい。この場合には、摺動部材の摺動によって、サイドプレートをスライドさせることなしに回動のみさせることができる。
【００２１】
ところで、図１等に示したように、ベビーカー本体１０の肘掛け杆１６にベビーシート２１の肘掛け部２２ａを載置係合させることによってベビーカー本体１０にベビーシート２１を装着するのであるが、上記ベビーカー本体１０の手押杆１５と肘掛け杆１６とを連結する連結部材４０及び肘掛け杆１６と前脚１２を連結する連結部材４１とによってベビーシート２１の肘掛け部２２ａを案内するガイド部が構成されている。
【００２２】
すなわち、上記連結部材４０と４１の互いに対向する面が、Ｖ字状になるように形成されている。一方、ベビーシート２１の肘掛け部２２ａの下面には肘掛け杆１６上に係合する凹部４２（図９）が形成されており、その肘掛け部２２ａの少なくとも外側板の前縁部４３ａおよび後縁部４３ｂが上記連結部材４０，４１によるＶ字状に対応してＶ字状に形成されている。
【００２３】
しかして、ベビーシート２１をベビーカー本体１０に装着する場合には、ベビーカー本体１０に対してベビーシート２１を下降させると、ベビーシート２１の肘掛け部２２ａの前縁部４３ａおよび後縁部４３ｂが連結部材４１，４０によって形成されたＶ字状のガイド部によって案内され、ベビーシート２１がベビーカー本体１０の所定位置に容易に載置される。
【００２４】
また、図９に示すように、肘掛け杆１６にはスプリング４４によって外側方に突出するように付勢された係止ピン４５が設けられており、一方ベビーシート２１の肘掛け部２２ａの外側壁には、上記係止ピン４５が進入係合される係止孔４６が形成されている。上記係止孔４６内には、その係止孔４６の軸線方向に所定量移動可能であり、上記係止ピン４５の先端と当接することによって、先端が肘掛け部２２ａの外側面から外方に突出する係止解除ボタン４７が設けられている。
【００２５】
しかして、前述のようにベビーシート２１を下降させて凹部４２をベビーカー本体１０の肘掛け杆１６の所定位置に載置係合させると、係止ピン４５が係止孔４６内に進入係合し、ベビーシート２１が固定される。
【００２６】
一方、ベビーシート２１をベビーカー本体１０から取外す場合には、係止解除ボタン４７を押圧してスプリング４４に抗して係止ピン４５を内方に押すと、係止ピン４５と係止孔４６との係合が解除され、ベビーシート２１をベビーカー本体１０から容易に上方に持ち上げることができる。
【００２７】
なお、上記実施の形態においては、肘掛け杆にベビーシートを装着するようにしたものを示したが、連結部材４０，４１を一体に形成し、それを肘掛け杆とすることもできる。
【００２８】
【発明の効果】
以上説明したように、第１の発明においては、背板を座板に対して揺動・固定可能に装着するとともに、上記背板の両側に乳幼児を保護するサイドプレートを背板の前後方向軸線回りに揺動可能に装着し、そのサイドプレートが上記背板の座板方向への折畳み動作と連動して直立状態から背板側に揺動するようにしたので、ベビーシートの折畳み時にサイドプレートが邪魔になることがなく、折畳みサイズがサイドプレートの高さの影響を受けることなくコンパクトに折り畳むことができる。
【００２９】
また、第２の発明は、ベビーカー本体の肘掛け杆に、少なくとも外側方に突出するように付勢された係止ピンを設け、その係止ピンに、肘掛け杆に掛合したベビーシートの肘掛け部外側壁に設けられた係止孔を係止するようにしたので、ベビーシートの固定を容易に且つ確実に行うことができる。また、ベビーシートの肘掛け部に係止解除ボタンを設けた場合には、上記係止ピンと係止孔との係合を容易に解除することができ、さらに肘掛け杆にベビーシートのガイド部を形成した場合には、ベビーシートの所定位置への装着をきわめて容易に且つ確実に行うことができる。
【図面の簡単な説明】
【図１】本発明にかかるベビーカーの分解斜視図。
【図２】ベビーシートをベビーカー本体に背面状態に取付けた状態を示す図。
【図３】ベビーシートをベビーカー本体に対面状態に取付けた状態を示す図。
【図４】本発明におけるベビーシートの構成を示す斜視図。
【図５】本発明におけるベビーシートのサイドプレートの取付部の構成を示す図。
【図６】本発明のベビーシートの概略構成及び作動説明図。
【図７】ベビーシートを折畳んだ状態を示す斜視図。
【図８】本発明のベビーシートを取付けたベビーカーの折畳み後の状態を示す図。
【図９】肘掛け杆と肘掛け部との係合部を示す断面図。
【符号の説明】
１０  ベビーカー本体
１１  前輪
１２  前脚
１３  後輪
１４  後脚
１５  手押杆
１６  肘掛け杆
１９  連結バー
２０  ブラケット
２１  ベビーシート
２２  座板
２２ａ  肘掛け部
２３  背板
２４  ヘッドレスト
２５  ガードアーム
２６  足受け板
２７  ブラケット
３０  シャフト
３２  サイドプレート
３２ａ  円筒部
３３  ピン
３４  ガイド溝
３５  規制シャフト
４０，４１  連結部材
４２  凹部
４３ａ  前縁部
４３ｂ  後縁部
４４  スプリング
４５  係止ピン
４６  係止孔
４７  係止解除ボタン
Ａ  操作装置
【図１】
0004397475.tif 000002
【図２】
0004397475.tif 000003
【図３】
0004397475.tif 000004
【図４】
0004397475.tif 000005
【図５】
0004397475.tif 000006
【図６】
0004397475.tif 000007
【図７】
0004397475.tif 000008
【図８】
0004397475.tif 000009
【図９】
0004397475.tif 000010